(57)【要約】【課題】利便性に優れかつ防犯効果を十分に向上させることができる引き戸固定装置を提供する。【解決手段】引き戸固定装置１０は、装置本体１２およびカバー部材１４を含む。装置本体１２は、ケース部材１６、回転部材２０および移動部材２４を含む。ケース部材１６は、係止部３０を有する。回転部材２０は、ケース部材１６に回転可能に設けられている。回転部材２０の差し込み部３８には、板状部材６６を差し込み可能な溝部４８が形成されている。移動部材２４は、係止部６０を有する。回転部材２０を回転させることによって、移動部材２４が前後に移動する。それにより、係止部６０を係止部３０に対して進退させることができ、係止部６０によって引き戸をガイド（たとえば、レール等）に押しつけることができる。その結果、引き戸を固定することができる。【選択図】図１
2011246912.tif 000002
【特許請求の範囲】
【請求項１】
引き戸および前記引き戸をスライドさせるためのガイドを備えた窓において前記引き戸を前記ガイドに押しつけることによって前記引き戸を固定する引き戸固定装置であって、
本体部と、
前記本体部に回転可能に設けられる回転部材と、
前記本体部から下方に延びるように設けられかつ少なくとも一方が他方に対して進退可能に設けられる一対の係止部と、
前記回転部材の回転動作を前記少なくとも一方の係止部に伝達することによって前記少なくとも一方の係止部を前記他方の係止部に対して進退させる伝達部とを備え、
前記回転部材は、板状部材が差し込み可能な溝部を有する差し込み部を含み、
前記差し込み部は、前記回転部材の軸方向に対して垂直な断面において略円形状を有する、引き戸固定装置。
【請求項２】
前記差し込み部は、略半球形状を有する、請求項１に記載の引き戸固定装置。
【請求項３】
前記差し込み部は、略円柱形状を有する、請求項１に記載の引き戸固定装置。
【請求項４】
前記差し込み部は、その略中央部において下方に向かって湾曲する凹部を有し、
前記溝部は、少なくとも前記凹部に形成される、請求項１に記載の引き戸固定装置。
【請求項５】
前記差し込み部は、前記本体部よりも上方に突出する、請求項１から４のいずれかに記載の引き戸固定装置。
【請求項６】
前記差し込み部の上面と前記本体部の上面とは略面一である、請求項３に記載の引き戸固定装置。
【請求項７】
前記差し込み部の上面は、前記本体部の上面よりも下方に位置する、請求項３に記載の引き戸固定装置。
【請求項８】
前記溝部を覆うように前記差し込み部に取り付けられるカバー部材をさらに備える、請求項１から７のいずれかに記載の引き戸固定装置。
【発明の詳細な説明】
【技術分野】
【０００１】
この発明は引き戸固定装置に関し、より特定的には、引き戸をガイドに押しつけることによって固定する引き戸固定装置に関する。
【背景技術】
【０００２】
複数（たとえば、２つ）の引き戸によって構成される引き違い窓には、一般に、クレセント錠が設けられている。また、防犯効果を高めるために、クレセント錠に加えて引き戸固定装置が取り付けられる場合がある。引き戸固定装置は、一般に、外側（室外側）の引き戸を窓のガイド（たとえば、引き戸をスライドさせるためのレール等）に押し付けて固定するとともに、内側（室内側）の引き戸を係止することによって引き戸の開閉動作を防止する構成を有する。
【０００３】
たとえば、特許文献１には、操作ツマミを回動させることによって一対の係止片の間隔を変更することができる引き戸の係止装置が開示されている。この係止装置は、係止装置をロック状態（操作ツマミを回動できない状態）から非ロック状態（操作ツマミを回動できる状態）、または非ロック状態からロック状態に切り替えるための操作部材を有している。操作部材は、ケース本体に対して抜き出し可能に設けられている。この係止装置では、操作部材がケース本体から抜き出されている場合には、ロック状態から非ロック状態または非ロック状態からロック状態への切り替えができない。したがって、引き戸を固定している係止装置がロック状態に設定されかつ係止装置から操作部材が抜き出されている場合には、引き戸から係止装置を容易に取り外すことができない。それにより、悪意を持った第３者が窓を開けて室内に侵入しようとしても、係止装置を容易に取り外すことができず、窓を短時間で開けることができない。その結果、防犯効果を向上させることができる。
【先行技術文献】
【特許文献】
【０００４】
【特許文献１】特開２００２−８９１１９号公報
【発明の概要】
【発明が解決しようとする課題】
【０００５】
ところで、特許文献１の係止装置では、操作部材を紛失した場合には、ロック状態から非ロック状態または非ロック状態からロック状態への切り替えができなくなってしまう。特に、係止装置がロック状態に設定された状態で操作部材を紛失した場合には、操作ツマミを回動させることができなくなり、係止装置を使用できなくなってしまう。このように、特許文献１の係止装置には、操作部材が無い場合にはその機能が制限される、あるいは使用できなくなるという問題があり、利便性に優れていない。
【０００６】
それゆえに、この発明の主たる目的は、利便性に優れかつ防犯効果を十分に向上させることができる引き戸固定装置を提供することである。
【課題を解決するための手段】
【０００７】
上述の目的を達成するために、請求項１に記載の引き戸固定装置は、引き戸および引き戸をスライドさせるためのガイドを備えた窓において引き戸をガイドに押しつけることによって引き戸を固定する引き戸固定装置であって、本体部と、本体部に回転可能に設けられる回転部材と、本体部から下方に延びるように設けられかつ少なくとも一方が他方に対して進退可能に設けられる一対の係止部と、回転部材の回転動作を少なくとも一方の係止部に伝達することによって少なくとも一方の係止部を他方の係止部に対して進退させる伝達部とを備え、回転部材は、板状部材が差し込み可能な溝部を有する差し込み部を含み、差し込み部は、回転部材の軸方向に対して垂直な断面において略円形状を有する。
【０００８】
請求項２に記載の引き戸固定装置は、請求項１に記載の引き戸固定装置において、差し込み部は、略半球形状を有することを特徴とする。
【０００９】
請求項３に記載の引き戸固定装置は、請求項１に記載の引き戸固定装置において、差し込み部は、略円柱形状を有することを特徴とする。
【００１０】
請求項４に記載の引き戸固定装置は、請求項１に記載の引き戸固定装置において、差し込み部は、その略中央部において下方に向かって湾曲する凹部を有し、溝部は、少なくとも凹部に形成されることを特徴とする。
【００１１】
請求項５に記載の引き戸固定装置は、請求項１から４のいずれかに記載の引き戸固定装置において、差し込み部は、本体部よりも上方に突出することを特徴とする。
【００１２】
請求項６に記載の引き戸固定装置は、請求項３に記載の引き戸固定装置において、差し込み部の上面と本体部の上面とは略面一であることを特徴とする。
【００１３】
請求項７に記載の引き戸固定装置は、請求項３に記載の引き戸固定装置において、差し込み部の上面は、本体部の上面よりも下方に位置することを特徴とする。
【００１４】
請求項８に記載の引き戸固定装置は、請求項１から７のいずれかに記載の引き戸固定装置において、溝部を覆うように差し込み部に取り付けられるカバー部材をさらに備えることを特徴とする。
【００１５】
請求項１に記載の引き戸固定装置では、回転部材を回転させることによって少なくとも一方の係止部を他方の係止部に対して進退させることができる。それにより、引き戸固定装置を窓に取り付け、または窓から取り外すことができる。具体的には、引き戸固定装置を窓に取り付けて引き戸を固定する場合には、回転部材を一方向に回転させることによって一対の係止部の相互の間隔を大きくする。それにより、一対の係止部によって引き戸を窓のガイドに押しつけることができ、引き戸を固定することができる。窓から引き戸固定装置を取り外す場合には、回転部材を逆方向に回転させることによって一対の係止部の相互の間隔を小さくする。それにより、一対の係止部がガイドおよび引き戸から離れ、引き戸固定装置取り外すことができる。
【００１６】
ここで、この引き戸固定装置においては、回転部材の差し込み部に、板状部材を差し込み可能な溝部が形成されている。そのため、室内の人が窓を開けるために引き戸固定装置を取り外す際には、特別な操作部材を用いることなく、一般に普及している板状部材（たとえば、硬貨等）を差し込み部の溝部に差し込むことによって、回転部材を容易に回転させることができる。それにより、引き戸固定装置を容易に取り外すことができる。このように、この引き戸固定装置においては、回転部材を回転させるために特別な操作部材が必要ないので、従来のように操作部材の紛失によって引き戸固定装置が使用できなくなることがなく、利便性に優れている。
【００１７】
また、この引き戸固定装置では、差し込み部は回転部材の軸方向に対して垂直な断面において略円形状を有するので、回転部材を回転させるために差し込み部を指で摘もうとしても、差し込み部の外周面に指を引っかけることが難しく、指が滑りやすい。そのため、たとえば、悪意を持った室外の第３者が窓を開けるために差し込み部を摘んで回転部材を回転させようとしても、差し込み部を容易に摘むことができない。この場合、回転部材を容易に回転させることができず、引き戸固定装置を容易に取り外すことができない。上述のように差し込み部の溝部に板状部材を差し込んで回転部材を回転させれば回転部材を容易に回転させることができるが、板状部材を予め用意していなければ板状部材を探すために時間がかかってしまう。したがって、悪意を持った室外の第３者が引き戸固定装置を取り外そうとしても、引き戸固定装置を短時間で取り外すことは困難である。この結果、防犯効果を十分に向上させることができる。
【００１８】
請求項２に記載の引き戸固定装置では、差し込み部が略半球形状を有するので、差し込み部を指で摘むことがより困難になる。この場合、素手で回転部材を回転させることがより困難になるので、防犯効果をより向上させることができる。
【００１９】
請求項３に記載の引き戸固定装置では、差し込み部が略円柱形状を有するので、差し込み部を指で摘むことがより困難になる。この場合、素手で回転部材を回転させることがより困難になるので、防犯効果をより向上させることができる。
【００２０】
請求項４に記載の引き戸固定装置では、差し込み部は、その略中央部において下方に向かって湾曲する凹部を有し、溝部は少なくとも凹部に形成されている。この場合、板状部材を溝部に差し込んだ際に、板状部材のうち差し込み部から露出する部分の面積を大きくすることができる。すなわち、板状部材のうち使用者が指で摘むことができる部分の面積を大きくすることができるので、使用者は板状部材を容易に回転させることができる。その結果、引き戸固定装置の利便性がさらに向上する。また、差し込み部に凹部を設けることによって、差し込み部の高さが高くなることを抑制することができる。この場合、指で差し込み部を摘むことがさらに困難になるので、防犯効果をさらに向上させることができる。
【００２１】
請求項５に記載の引き戸固定装置では、差し込み部が本体部よりも上方に突出している。この場合、差し込み部の溝部に板状部材を差し込むことが容易になるので、引き戸固定装置の利便性がより向上する。
【００２２】
請求項６に記載の引き戸固定装置では、差し込み部の上面と本体部の上面とが略面一になっているので、差し込み部を指で摘むことがより困難になる。それにより、防犯効果をより向上させることができる。
【００２３】
請求項７に記載の引き戸固定装置では、差し込み部の上面が本体部の上面よりも下方に位置するので、差し込み部を指で摘むことがさらに困難になる。それにより、防犯効果をさらに向上させることができる。
【００２４】
請求項８に記載の引き戸固定装置では、溝部がカバー部材によって覆われているので、悪意を持った室外の第３者が引き戸固定装置の操作方法を一見して理解することは困難である。また、差し込み部の溝部に板状部材を差し込んで回転部材を回転させるためにはカバー部材を取り外す必要があり、手間がかかる。これらの結果、防犯効果がさらに向上する。
【発明の効果】
【００２５】
この発明によれば、利便性に優れかつ防犯効果を十分に向上させることができる引き戸固定装置を得ることができる。
【図面の簡単な説明】
【００２６】
【図１】この発明の一実施形態の引き戸固定装置を示す斜視図である。
【図２】引き戸固定装置を示す断面図である。
【図３】装置本体を斜め下方から見た分解斜視図である。
【図４】装置本体を斜め上方から見た分解斜視図である。
【図５】回転部材を示す平面図である。
【図６】装置本体の操作方法を説明するための図である。
【図７】引き戸固定装置の使用例を説明するための斜視図である。
【図８】引き戸固定装置の使用例を説明するための側面図解図である。
【図９】この発明の他の実施形態の引き戸固定装置を示す斜視図である。
【図１０】装置本体の他の例を示す斜視図である。
【図１１】装置本体のさらに他の例を示す斜視図である。
【図１２】この発明のさらに他の実施形態の引き戸固定装置を示す側面図解図である。
【図１３】図１２の引き戸固定装置の装置本体を示す斜視図である。
【図１４】図１２の引き戸固定装置の装置本体を示す断面図である。
【図１５】回転部材の他の例を示す平面図である。
【図１６】回転部材のさらに他の例を示す平面図である。
【発明を実施するための形態】
【００２７】
以下、この発明の実施形態について図面を参照して説明する。
図１はこの発明の一実施形態の引き戸固定装置１０を示す斜視図であり、図２は、引き戸固定装置１０を示す断面図である。なお、以下の説明においては、図１において矢印Ａで示される方向を前方とし、矢印Ｂで示される方向を後方とし、矢印Ｃで示される方向を右方向とし、矢印Ｄで示される方向を左方向とする。
【００２８】
図１および図２を参照して、引き戸固定装置１０は、装置本体１２および装置本体１２に対して取り外し可能に設けられるカバー部材１４を備える。
【００２９】
図３および図４は、装置本体１２を示す分解斜視図である。なお、図３は、装置本体１２を斜め下方から見た分解斜視図であり、図４は、装置本体１２を斜め上方から見た分解斜視図である。
【００３０】
図２〜図４を参照して、装置本体１２は、ケース部材１６、クッション部材１８、回転部材２０、支持部材２２、移動部材２４およびクッション部材２６を含む。ケース部材１６、回転部材２０、支持部材２２および移動部材２４は、たとえば、金属からなる。クッション部材１８およびクッション部材２６は、たとえば、ゴム等の弾性材料からなる。
【００３１】
ケース部材１６は、前後方向に延びかつ下端が開口する中空のケース本体２８、およびケース本体２８の後端部に一体的に設けられかつケース本体２８よりも下方に突出する略平板形状の係止部３０を含む。ケース本体２８は、前後方向に延びる天井部３２を含む。天井部３２は、円形の貫通孔３２ａを有する。
【００３２】
図３を参照して、ケース部材１６は、ケース本体２８内の四隅にそれぞれ設けられる固定部３４を有する。各固定部３４は、天井部３２の下面３２ｂから下方に延びる断面略長方形状の角柱部３４ａおよび角柱部３４ａの下面から下方に延びる円柱部３４ｂを含む。また、ケース部材１６は、下面３２ｂから下方に突出するように設けられかつ係止部３０から貫通孔３２ａに向かって互いに平行に延びる一対の板状の案内部３６ａ，３６ｂを有する。
【００３３】
図２および図３を参照して、係止部３０の後面３０ａ（図２参照）には、前方に向かって凹む断面長方形状の凹部３０ｂが設けられている。クッション部材１８は平板形状を有し、たとえば接着剤によって凹部３０ｂに固定されている。
【００３４】
図２〜図４を参照して、回転部材２０は、上側から順に、後述する板状部材６６（図６参照）を差し込み可能な略半球形状の差し込み部３８、均一な直径を有する円柱部４０（図２および図４参照）、円柱部４０よりも大きい直径を有するフランジ部４２、およびフランジ部４２よりも下方に突出しかつ下方から見た場合にらせん状に湾曲する突条部４４（図２および図３参照）を含む。また、図２および図３を参照して、回転部材２０の下端部には、フランジ部４２よりも上方に凹む凹部４６が形成されている。突条部４４は、凹部４６の外縁に沿って延びるように形成されている。なお、突条部４４の一端部４４ａは、凹部４６の外縁から離れて凹部４６内に延びている。
【００３５】
図２および図４参照を参照して、差し込み部３８の最大径（差し込み部３８の下端の直径）および円柱部４０の直径は、天井部３２の貫通孔３２ａの直径よりも小さく、フランジ部４２の直径は、貫通孔３２ａの直径よりも大きい。図２を参照して、回転部材２０は、差し込み部３８が天井部３２の上面３２ｃよりも上方に突出し、かつケース部材１６に対して回転可能になるように設けられている。
【００３６】
図５は、回転部材２０を示す平面図である。図１、図２および図５を参照して、回転部材２０は、平面視においてプラス形状（十字形状）を有する溝部４８を有する。図１および図２を参照して、溝部４８は、差し込み部３８の外周面３８ａから下方に向かって延びるように形成されている。溝部４８は、円弧状に湾曲する底面５０を有する。溝部４８の寸法は、たとえば、後述する板状部材６６（図６参照）を差し込むことができるように決定されている。図５を参照して、溝部４８の幅Ｗは、たとえば２．３ｍｍであり、回転部材２０の径方向における溝部４８の長さＬは、たとえば２６ｍｍである。
【００３７】
図３および図４を参照して、支持部材２２は、その四隅に形成される円形状の４つの貫通孔５２および略中央部に形成される長方形状の貫通孔５４を有する。図２を参照して、各貫通孔５２は、その下部において直径が漸次増大するように形成されている。図４を参照して、支持部材２２の上面２２ａにおいて４つの貫通孔５２よりも内側には、支持部材２２の前端部から後端に向かって延びるように凹部５６が形成されている。貫通孔５４は、凹部５６において開口している。
【００３８】
図２を参照して、装置本体１２を組み立てる際には、各貫通孔５２に、ケース部材１６の各円柱部３４ｂ（図３参照）がそれぞれ挿入される。円柱部３４ｂ（図３参照）の下端部は、貫通孔５２に挿入された状態で、たとえば工具によって衝撃を加えることによって潰される。これにより、貫通孔５２において円柱部３４ｂ（図３参照）がかしめられ、ケース部材１６と支持部材２２とが接合されている。
【００３９】
図２〜図４を参照して、移動部材２４は、前後方向に延びかつ支持部材２２に対して略平行に設けられる略平板状の摺動部５８、摺動部５８よりも下方において左右方向に延びかつ摺動部５８に対して垂直に設けられる略平板状の係止部６０、および摺動部５８と係止部６０とを接続する接続部６２を含む。図２および図４を参照して、摺動部５８は、その上面５８ａから上方に向かって突出しかつ前後方向において等間隔に配置される略短冊形状の５つの突起部６４を有する。摺動部５８の幅（左右方向における長さ）は支持部材２２の貫通孔５４の幅よりも大きく、摺動部５８の前後方向における長さは貫通孔５４の前後方向における長さよりも長い。図２を参照して、摺動部５８は、前後方向に移動可能になるように凹部５６において支持部材２２によって支持されている。なお、図３を参照して、摺動部５８の幅は貫通孔５４の前後方向における長さよりも短い。したがって、装置本体１２を組み立てる際には、摺動部５８の向きを調整することによって摺動部５８を支持部材２２の下方から貫通孔５４に通すことができる。それにより、摺動部５８を支持部材２２の凹部５６上に配置することができる。図２を参照して、摺動部５８は、回転部材２０が回転する際に、突条部４４が隣り合う突起部６４と突起部６４との間を通過できるように設けられている。複数の突起部６４は、左右方向において案内部３６ａ（図３参照）と案内部３６ｂとの間に配置されている。係止部６０は、貫通孔５４を介して支持部材２２よりも下方に突出している。
【００４０】
図２〜図４を参照して、係止部６０の前面６０ａには、後方に向かって凹む断面長方形状の凹部６０ｂが設けられている。クッション部材２６は平板形状を有し、たとえば接着剤によって凹部６０ｂに固定されている。
【００４１】
図６を参照して、移動部材２４は、溝部４８に板状部材６６（たとえば、１０円硬貨、１００円硬貨または５００円硬貨等の硬貨）を差し込んで回転部材２０を軸周りに回転させることによって前後に移動させることができる。具体的に説明すると、図２を参照して、回転部材２０を回転させることによって突条部４４が回転部材２０の軸周りに回転する。ここで、図３をも参照して、突条部４４はらせん形状を有するので、突条部４４は、その内周面４４ｂまたは外周面４４ｃによって複数の突起部６４（図２参照）のうちのいずれかの突起部６４（図２参照）を前方または後方に押しつつ回転部材２０の軸周りに回転する。それにより、移動部材２４が前方または後方に移動する。その結果、係止部６０が係止部３０に対して進退する。なお、移動部材２４が進退する際の移動部材２４の左右方向の揺れは、突起部６４（図２参照）が案内部３６ａ，３６ｂに接触することによって防止される。
【００４２】
図１および図２を参照して、カバー部材１４は、半球面状に湾曲する内面１４ａおよび内面１４ａの中央部から下方に向かって突出する突出部１４ｂを有する。図１を参照して、突出部１４ｂは下方から見た場合にプラス形状（十字形状）を有する。図２を参照して、カバー部材１４は、溝部４８の全体を覆うようにかつ突出部１４ｂが溝部４８に嵌め込まれるように差し込み部３８に取り付けられている。
【００４３】
図７および図８を参照して、引き戸固定装置１０は、たとえば、引き違い窓６８において用いられる。引き違い窓６８は、一対の引き戸７０，７２、引き戸７０，７２が嵌め込まれる外枠７４、および引き戸７０と引き戸７２とを固定するためのクレセント錠７６（図７参照）を含む。引き違い窓６８では、引き戸７０が室内側に設けられ、引き戸７２が室外側に設けられている。引き戸７０は、窓枠７０ａおよび窓枠７０ａに固定されるガラス７０ｂ（図７参照）を含み、引き戸７２は、窓枠７２ａおよび窓枠７２ａに固定されるガラス７２ｂを含む。
【００４４】
図８を参照して、外枠７４は、室内側の端部において上方に向かって延びる壁部７４ａおよび壁部７４ａよりも室外側において上方に向かって延びる一対のレール部７４ｂ，７４ｃを有する。レール部７４ｂは、窓枠７０ａの溝７０ｃに嵌め込まれ、レール部７４ｃは、窓枠７２ａの溝７２ｃに嵌め込まれている。レール部７４ｂ，７４ｃは、引き戸７０，７２をスライドさせるためのガイドとして機能している。
【００４５】
引き戸固定装置１０を設置する際には、クッション部材１８を引き戸７２の窓枠７２ａに接触させた状態で、回転部材２０（図６参照）を回転させる。そして、外枠７４の壁部７４ａが係止部６０によって十分な力で押されかつ引き戸７２の窓枠７２ａが係止部３０によって十分な力で押される状態になるまで移動部材２４を移動させる。これにより、窓枠７２ａがレール部７４ｃに押しつけられ、引き戸７２が固定される。また、図７を参照して、引き戸固定装置１０のケース部材１６によって窓枠７０ａが係止されることによって、引き戸７０の移動が阻止される。その後、回転部材２０（図６参照）にカバー部材１４を被せることによって、引き戸固定装置１０の設置が完了する。
【００４６】
この実施形態では、ケース本体２８および支持部材２２が本体部に含まれ、係止部３０および係止部６０が一対の係止部に相当し、突条部４４および突起部６４が伝達部に含まれる。
【００４７】
以下、引き戸固定装置１０の作用効果を説明する。
引き戸固定装置１０においては、差し込み部３８は、板状部材を差し込み可能な溝部４８を有している。そのため、室内の人が引き違い窓６８を開けるために引き戸固定装置１０を取り外す際には、特別な操作部材を用いることなく、一般に普及している板状部材６６（たとえば、硬貨等）を差し込み部３８の溝部４８に差し込むことによって、回転部材２０を容易に回転させることができる。それにより、引き戸固定装置１０を容易に取り外すことができる。このように、引き戸固定装置１０においては、回転部材２０を回転させるために特別な操作部材が必要ないので、従来のように操作部材の紛失によって引き戸固定装置１０が使用できなくなることがなく、利便性に優れている。
【００４８】
また、差し込み部３８は半球形状を有するので、回転部材２０を回転させるために差し込み部３８を指で摘もうとしても、差し込み部３８の外周面３８ａに指を引っかけることが難しく、指が滑りやすい。そのため、たとえば、悪意を持った室外の第３者が引き違い窓６８を開けるために差し込み部３８を摘んで回転部材２０を回転させようとしても、差し込み部３８を容易に摘むことができない。この場合、回転部材２０を容易に回転させることができず、引き戸固定装置１０を容易に取り外すことができない。上述のように差し込み部３８の溝部４８に板状部材６６を差し込んで回転部材２０を回転させれば回転部材２０を容易に回転させることができるが、予め板状部材６６を用意していなければ板状部材６６を探すために時間がかかってしまう。したがって、悪意を持った室外の第３者が引き戸固定装置１０を取り外そうとしても、引き戸固定装置１０を短時間で取り外すことは困難である。これらの結果、防犯効果を十分に向上させることができる。
【００４９】
また、引き戸固定装置１０においては、差し込み部３８がケース部材１６よりも上方に突出している。この場合、差し込み部３８の溝部４８に板状部材６６を差し込むことが容易になるので、引き戸固定装置１０の利便性がより向上する。
【００５０】
また、引き戸固定装置１０においては、溝部４８がカバー部材１４によって覆われているので、悪意を持った室外の第３者が引き戸固定装置１０の操作方法を一見して理解することは困難である。また、溝部４８に板状部材６６を差し込んで差し込み部３８を回転させるためにはカバー部材１４を取り外す必要があり、手間がかかる。これらの結果、防犯効果がさらに向上する。
【００５１】
上述の実施形態においては、差し込み部３８の外周面３８ａから円柱部４０まで凹むように溝部４８が形成されているが、少なくとも差し込み部が溝部を有していればよく、円柱部に溝部が形成されていなくてもよい。
【００５２】
また、上述の実施形態においては、半球形状の差し込み部３８を有する回転部材２０について説明したが、回転部材の形状は上述の例に限定されず、差し込み部が回転部材の軸方向に対して垂直な断面において略円形状を有していればよい。
【００５３】
図９は、この発明の他の実施形態の引き戸固定装置を示す斜視図である。図９に示す引き戸固定装置１０ａの構成が上述の引き戸固定装置１０（図１参照）の構成と異なる点は、回転部材２０（図１参照）およびカバー部材１４（図１参照）の代わりに、回転部材２０ａおよびカバー部材８０が用いられている点である。したがって、回転部材２０ａおよびカバー部材８０以外の引き戸固定装置１０ａの構成については説明を省略する。また、引き戸固定装置１０ａの回転部材２０ａが上述の回転部材２０（図２参照）と異なる点は、差し込み部３８（図２参照）および円柱部４０（図２参照）の代わりに、円柱形状の差し込み部７８が設けられている点である。したがって、差し込み部７８以外の回転部材２０ａの構成については説明を省略する。
【００５４】
図９を参照して、装置本体１２ａにおいては、差し込み部７８の直径は貫通孔３２ａの直径よりも小さく、差し込み部７８がケース本体２８の上面３２ｃよりも上方に突出している。差し込み部７８は、円形の上面７８ａ、回転部材２０ａの軸方向に対して垂直な断面において円形状を有する外周面７８ｂ、および上面７８ａから下方に延びるように形成される溝部４８ａを有する。溝部４８ａは、円弧状に湾曲する底面５０ａを有する。差し込み部７８には、溝部４８ａの全体を覆うようにカバー部材８０が取り付けられる。カバー部材８０は、上面７８ａに対応する下面８０ａおよび溝部４８ａに対応する突出部８０ｂを有する。
【００５５】
引き戸固定装置１０ａにおいては、差し込み部７８が円柱形状を有するので、差し込み部７８を指で摘もうとしても、外周面７８ｂに指を引っかけることが難しく、指が滑りやすい。そのため、たとえば、悪意を持った室外の第３者が窓を開けるために差し込み部７８を摘んで回転部材２０ａを回転させようとしても、差し込み部７８を容易に摘むことができない。それにより、素手で回転部材２０ａを回転させることが困難になり、引き戸固定装置１０ａを容易に取り外すことができなくなる。その結果、防犯効果を十分に向上させることができる。
【００５６】
また、上述の実施形態においては、差し込み部がケース部材１６（ケース本体２８）の上面３２ｃよりも上方に突出していたが、装置本体の構成は上述の例に限定されない。図１０は、装置本体の他の例を示す斜視図である。図１０の装置本体１２ｂが図９の装置本体１２ａと異なる点は、ケース部材１６（図３、図４および図９参照）の代わりにケース部材８２が用いられている点である。したがって、ケース部材８２以外の装置本体１２ｂの構成については説明を省略する。
【００５７】
ケース部材８２がケース部材１６（図３、図４および図９参照）と異なる点は、以下の点である。図１０を参照して、ケース部材８２は、ケース本体２８（図３参照）よりも上下方向に長いケース本体８２ａ、およびケース本体８２ａの後端部に一体的に設けられかつ係止部３０（図３参照）よりも上下方向に長い係止部８２ｂを有する。係止部８２ｂの後面には、クッション部材１８（図３参照）よりも大きい面積を有するクッション部材１８ａが固定されている。ケース本体８２ａ内には、固定部３４（図３参照）と同様の固定部（図示せず）、および案内部３６ａ，３６ｂ（図３参照）と同様の案内部（図示せず）が設けられている。なお、固定部および案内部の上下方向の長さは、ケース本体８２ａの上下方向の長さに対応して、それぞれ固定部３４（図３）および案内部３６ａ，３６ｂ（図３参照）の上下方向の長さよりも長い。ケース部材８２の天井部８２ｃには、貫通孔３２ａ（図３参照）と同様の貫通孔８２ｄが形成されている。貫通孔８２ｄの直径は、差し込み部７８の直径よりも大きい。なお、天井部８２ｃは、天井部３２（図３参照）と略同一の厚みを有している。この実施形態では、ケース本体８２ａおよび支持部材２２（図３参照）が本体部に含まれ、係止部６０および係止部８２ｂが一対の係止部に相当する。
【００５８】
装置本体１２ｂにおいては、差し込み部７８の上面７８ａとケース本体８２ａ（天井部８２ｃ）の上面８２ｅとが略面一になっている。この場合、差し込み部７８を指で摘むことがより困難になり、素手で回転部材２０ａを回転させることがより困難になる。それにより、防犯効果が十分に向上する。
【００５９】
図１１は、装置本体のさらに他の例を示す斜視図である。
図１１の装置本体１２ｃが図１０の装置本体１２ｂと異なる点は、ケース部材８２（図１０参照）の代わりにケース部材８４が用いられている点である。したがって、ケース部材８４以外の装置本体１２ｃの構成については説明を省略する。
【００６０】
ケース部材８４がケース部材８２（図１０参照）と異なる点は、以下の点である。図１１を参照して、ケース部材８４は、ケース本体８２ａ（図１０参照）よりも上下方向に長いケース本体８４ａ、およびケース本体８４ａの後端部に一体的に設けられかつ係止部８２ｂ（図１０参照）よりも上下方向に長い係止部８４ｂを有する。係止部８４ｂの後面には、クッション部材１８ａ（図１０参照）よりも大きい面積を有するクッション部材１８ｂが固定されている。ケース本体８４ａ内には、固定部３４（図３参照）と同様の固定部（図示せず）、および案内部３６ａ，３６ｂ（図３参照）と同様の案内部（図示せず）が設けられている。なお、固定部および案内部の上下方向の長さは、ケース本体８４ａの上下方向の長さに対応して形成されている。ケース部材８４の天井部８４ｃには、貫通孔８２ｄ（図１０参照）と同様の貫通孔８４ｄが形成されている。貫通孔８４ｄの直径は、差し込み部７８の直径よりも大きい。天井部８４ｃは、天井部８２ｄ（図１０参照）よりも大きい厚みを有している。なお、天井部８４ｃの厚みは、天井部８４ｃの下面（図示せず）が差し込み部７８の上面７８ａよりも下方に位置するように設定されることが好ましい。この実施形態では、ケース本体８４ａおよび支持部材２２（図３参照）が本体部に含まれ、係止部６０および係止部８４ｂが一対の係止部に相当する。
【００６１】
装置本体１２ｃにおいては、差し込み部７８の上面７８ａがケース本体８４ａ（天井部８４ｃ）の上面８４ｅよりも下方に位置している。この場合、差し込み部７８を指で摘むことがさらに困難になり、素手で回転部材２０ａを回転させることがさらに困難になる。それにより、防犯効果がさらに向上する。
【００６２】
図１２は、この発明のさらに他の実施形態の引き戸固定装置を示す側面図解図である。図１２に示す引き戸固定装置１０ｂの構成が上述の引き戸固定装置１０（図１参照）の構成と異なる点は、回転部材２０（図１参照）およびカバー部材１４（図１参照）の代わりに、回転部材２０ｂおよびカバー部材９２が用いられている点である。したがって、回転部材２０ｂおよびカバー部材９２以外の引き戸固定装置１０ｂの構成については説明を省略する。また、引き戸固定装置１０ｂの回転部材２０ｂが上述の回転部材２０（図２参照）と異なる点は、差し込み部３８（図２参照）の代わりに、差し込み部８６が設けられている点である。したがって、差し込み部８６以外の回転部材２０ｂの構成については説明を省略する。
【００６３】
図１２および図１３を参照して、引き戸固定装置１０ｂの装置本体１２ｄにおいては、回転部材２０ｂの差し込み部８６は、その中央部において下方に向かって球面状に緩やかに湾曲する凹部８８、および凹部８８の外縁から径方向に拡がりつつ下方に延びる外周面９０を有する。外周面９０は、回転部材２０ｂの軸方向に対して平行な断面において円弧状に湾曲している。差し込み部８６の最大径（差し込み部８６の下端の直径）は、貫通孔３２ａ（図１３参照）の直径よりも小さい。差し込み部８６は、図２の差し込み部３８と同様に、ケース本体２８の上面３２ｃよりも上方に突出している。
【００６４】
回転部材２０ｂは、平面視においてプラス形状を有する溝部４８ｂを有する。溝部４８ｂは、差し込み部８６の凹部８８から下方に向かって延びるように形成されている。図１４をも参照して、溝部４８ｂは、円弧状に湾曲する底面５０ｂを有する。
【００６５】
図１２を参照して、差し込み部８６には、溝部４８ｂの全体を覆うようにカバー部材９２が取り付けられる。カバー部材９２は、差し込み部８６の凹部８８および外周面９０に対応する下面９２ａ、ならびに溝部４８ｂに対応する突出部９２ｂを有する。
【００６６】
図１４を参照して、装置本体１２ｄにおいては、差し込み部８６が凹部８８を有するので、溝部４８ｂに板状部材６６を差し込んだ際に、板状部材６６のうち差し込み部８６から露出する部分（凹部８８よりも上方の部分）の面積を大きくすることができる。すなわち、板状部材６６のうち使用者が指で摘むことができる部分（凹部８８よりも上方の部分）の面積を大きくすることができる。それにより、使用者は板状部材６６を容易に回転させることができる。その結果、引き戸固定装置１０ｂの利便性がさらに向上する。また、差し込み部８６に凹部８８を設けることによって、差し込み部８６の高さが高くなることを抑制することができる。この場合、悪意をもった第３者が差し込み部８６を指で摘むことがさらに困難になるので、防犯効果をさらに向上させることができる。また、差し込み部８６は、円弧状に湾曲する外周面９０を有するので、回転部材２０ｂを回転させるために差し込み部８６を指で摘もうとしても、外周面９０に指を引っかけることが難しく、指が滑りやすい。この場合、素手で回転部材２０ｂを回転させることがより困難になるので、防犯効果がより向上する。
【００６７】
上述の実施形態では、回転部材にプラス形状の溝部が形成される場合について説明したが、溝部が完全なプラス形状を有していなくてもよい。たとえば、図１５に示す回転部材２０ｃのように、溝部４８ｃの中央部９４が、平面視において略円形状を有していてもよい。この場合、中央部９４の直径をドライバ等の工具の直径よりも十分に大きく設定することによって、第３者が工具を用いて回転部材２０ｃを回転させることを防止することができる。それにより、防犯効果を十分に向上させることができる。なお、溝部の中央部が、平面視において矩形状を有していてもよい。
【００６８】
また、回転部材に形成される溝部の形状はプラス形状に限定されない。たとえば、図１６に示す回転部材２０ｄのように、溝部４８ｄが平面視においてマイナス形状を有していてもよい。
【００６９】
なお、上述の実施形態では、引き戸固定装置を用いてガラスを有する引き戸を固定する場合について説明したが、この発明の引き戸固定装置は、ガラスを有する引き戸を固定する場合に限定されず、種々の引き戸を固定するために用いることができる。たとえば、金属製または木製の雨戸等を固定するためにこの発明の引き戸固定装置１０を用いてもよい。
【００７０】
また、上述の実施形態では、引き戸をスライドさせるためのガイドの一例としてレール部７４ｂ，７４ｃについて説明したが、引き戸をスライドさせるためのガイドはレールに限定されず、たとえば、溝によって引き戸をスライドさせる敷居等をガイドとして用いてもよい。
【００７１】
また、上述の実施形態では、複数の引き戸を有する引き違い窓に引き戸固定装置を用いる場合について説明したが、本発明の引き戸固定装置は、引き戸を有する種々の窓に用いることができる。たとえば、１枚の引き戸によって構成される片引き窓に本発明の引き戸固定装置を用いてもよい。
【符号の説明】
【００７２】
１０，１０ａ，１０ｂ      引き戸固定装置
１２，１２ａ，１２ｂ，１２ｃ，１２ｄ      装置本体
１４，８０，９２      カバー部材
１６，８２，８４      ケース部材
１８，２６      クッション部材
２０，２０ａ，２０ｂ，２０ｃ，２０ｄ      回転部材
２２      支持部材
２４      移動部材
２８，８２ａ，８４ａ      ケース本体
３０，６０，８２ｂ，８４ｂ      係止部
３８，７８，８６      差し込み部
４８，４８ａ，４８ｂ，４８ｃ，４８ｄ      溝部
６６      板状部材
【図１】
2011246912.tif 000003
【図２】
2011246912.tif 000004
【図３】
2011246912.tif 000005
【図４】
2011246912.tif 000006
【図５】
2011246912.tif 000007
【図６】
2011246912.tif 000008
【図７】
2011246912.tif 000009
【図８】
2011246912.tif 000010
【図９】
2011246912.tif 000011
【図１０】
2011246912.tif 000012
【図１１】
2011246912.tif 000013
【図１２】
2011246912.tif 000014
【図１３】
2011246912.tif 000015
【図１４】
2011246912.tif 000016
【図１５】
2011246912.tif 000017
【図１６】
2011246912.tif 000018